(57)【特許請求の範囲】
【請求項１】
ラバーオンリータイプのガスケット本体と、前記ガスケット本体を非接着状態で保持する樹脂フィルムよりなるキャリアフィルムとの組み合わせよりなり、
前記キャリアフィルムにおける前記ガスケット本体と平面上重なる部位に、前記ガスケット本体の外形形状に沿って変形した形状の立体部が設けられ、前記ガスケット本体はその一部が前記立体部に収められ、
前記立体部は、前記ガスケット本体を抜け止めするアンダーカット形状を備えることを特徴とするガスケット。
【請求項２】
請求項１記載のガスケットにおいて、
前記キャリアフィルムは、エンジニアリングプラスチックよりなることを特徴とするガスケット。
【請求項３】
請求項１または２記載のガスケットにおいて、
前記ガスケット本体は、燃料電池スタックに組み込まれる燃料電池用ガスケットとして用いられることを特徴とするガスケット。
【請求項４】
請求項１乃至３の何れかに記載したガスケットを製造する方法であって、
前記ガスケット本体を成形する金型のパーティング部に平面状の前記キャリアフィルムを挟み込んだ状態で前記金型を型締めする工程と、
前記金型で前記ガスケット本体を成形し、このとき成形材料充填圧力で前記キャリアフィルムの平面上一部を金型キャビティ内面に沿って変形させることにより前記立体部を成形する工程と、
前記ガスケット本体の成形後、型開きしてから、前記ガスケット本体および前記キャリアフィルムを同時に前記金型から取り出す工程と、を順次実施することを特徴とするガスケットの製造方法。
【請求項５】
請求項４に記載したガスケットの製造方法において、
前記金型のキャビティ内面にアンダーカット形状を設けることにより前記金型に対し前記ガスケット本体を抜け止めすることを特徴とするガスケットの製造方法。
【発明の詳細な説明】
【技術分野】
【０００１】
本発明は、シール技術に係るガスケットとその製造方法に関する。本発明のガスケットは例えば、燃料電池用ガスケットとして用いられ、またはその他の用途の一般ガスケットとして用いられる。
【背景技術】
【０００２】
燃料電池用ガスケットには、ゴム状弾性体（ラバー）製のガスケット単品よりなるラバーオンリータイプのガスケット、ゴム状弾性体製のガスケットをセパレータに一体成形したセパレータ一体ガスケット、ゴム状弾性体製のガスケットをＧＤＬ（ガス拡散層）に一体成形したＧＤＬ一体ガスケット等さまざまな構成のガスケットがある。
【０００３】
これらのガスケットはそれぞれ特徴を有しているが、近年、低コスト化の要求が強いことから、この要求を満足できるラバーオンリータイプのガスケットが注目されている。
【０００４】
ラバーオンリータイプのガスケットは例えば、図９に示すように構成されている。
【０００５】
すなわち、ガスケット１１の全体として平面状（平板状）とされ、燃料電池の反応面の周りを全周に亙ってシールするための外周シール部１２が平面長方形の枠状に設けられている。また、燃料電池の反応面と各マニホールド部を仕切る必要があることから、外周シール部１２の内側（四隅それぞれ）に内側シール部１３が一体成形されている。ガスケット１１の断面形状は図９（Ｂ）に示すように、断面円形とされている。
【先行技術文献】
【特許文献】
【０００６】
【特許文献１】特開２０１４−６０１３３号公報（図１等におけるガスケット３参照）
【発明の概要】
【発明が解決しようとする課題】
【０００７】
しかしながらこのラバーオンリータイプの燃料電池用ガスケット１１には、以下の点で更なる改良の余地がある。
【０００８】
すなわちこの燃料電池用ガスケット１１は一般に、平面外形を４００ｍｍ×３００ｍｍ程度の大きさとされる一方でその断面形状（線径）を１ｍｍ乃至数ｍｍ程度と小さく設定されている。したがって搬送時やスタッキング時にガスケット１１単体では捩れが生じやすいものであって、その取扱い作業性（ハンドリング性）が良くない。
【０００９】
本発明は以上の点に鑑みて、ラバーオンリータイプガスケットの取扱い作業性を向上することを目的とする。
【課題を解決するための手段】
【００１０】
上記目的を達成するため、本発明のガスケットは、ラバーオンリータイプのガスケット本体と、前記ガスケット本体を非接着状態で保持する樹脂フィルムよりなるキャリアフィルムとの組み合わせよりなり、前記キャリアフィルムにおける前記ガスケット本体と平面上重なる部位に、前記ガスケット本体の外形形状に沿って変形した形状の立体部が設けられ、前記ガスケット本体はその一部が前記立体部に収められ、前記立体部は、前記ガスケット本体を抜け止めするアンダーカット形状を備えることを特徴とする。
【００１１】
本発明では、ラバーオンリータイプのガスケット本体を樹脂フィルムよりなるキャリアフィルムで保持することにより、ガスケットの取扱い作業性を向上する。ガスケット本体とキャリアフィルムは非接着とされ、このためガスケット本体はスタッキングに際しキャリアフィルムから取り外すことが可能とされる。
【００１２】
ガスケット本体は平面状（平板状）であり、樹脂フィルムよりなるキャリアフィルムも平面状（平板状）であることから、ガスケット本体をキャリアフィルム上に載せただけでは、ガスケット本体をキャリアフィルムによってしっかりと保持できないことが懸念される。したがってこれに対策するには、キャリアフィルムにおけるガスケット本体と平面上重なる部位に、ガスケット本体の外形形状に沿って変形した形状の立体部を設けて、この立体部内にガスケット本体の一部を収めるようにするのが好適であり、これによればガスケット本体がキャリアフィルムに対し平面上位置決めされるため、ガスケット本体をキャリアフィルムによってしっかりと保持することが可能とされる。
【００１３】
また、立体部にアンダーカット形状を設けることにより当該立体部に対しガスケット本体を抜け止めすることも考えられる。
【００１４】
キャリアフィルムの材質としては、特に限定されないが、ポリアミド（ＰＡ）またはポリブチレンテレフタレート（ＰＢＴ）等のエンジニアリングプラスチックよりなるフィルムを用いることにより、ガスケット本体がキャリアフィルムに粘着していてもガスケット本体からキャリアフィルムを取り外しやすい。
【００１５】
本発明のガスケットは例えば、燃料電池用ガスケットとして用いられる。燃料電池はスタック積層数が多いことからガスケットにはその厚みが小さいことが求められ、厚みの小さなガスケットは捩れやすいため、取扱い作業性が良くない。したがってこのように厚みが小さく捩れやすい燃料電池用ガスケットの分野において、ガスケット本体を樹脂フィルムよりなるキャリアフィルムと組み合わせて取扱い作業性を向上させることは、スタッキング作業の効率化を図るうえで、きわめて有効である。
【００１６】
ガスケットの製造方法としては、ガスケット本体を成形する金型のパーティング部に平面状のキャリアフィルムを挟み込んだ状態で金型を型締めする工程と、金型でガスケット本体を成形し、このとき成形材料充填圧力でキャリアフィルムの平面上一部を金型キャビティ内面に沿って変形させ立体部を成形する工程と、ガスケット本体の成形後、型開きしてから、ガスケット本体およびキャリアフィルムを同時に金型から取り出す工程と、を順次実施する。キャリアフィルムは当初、平面状であったものが、成形材料充填圧力を利用して一部立体化され、立体化された部位においてガスケット本体とフィットするため、保持力が高いものである。
【００１７】
また、金型のキャビティ内面にアンダーカット形状を設けることにより当該金型に対してガスケット本体を抜け止めすることも考えられ、これによれば成形後の型開き時に、キャリアフィルムが一方の分割型に付着する一方でガスケット本体が他方の分割型に付着することによりキャリアフィルムからガスケット本体が剥離・分離してしまうのを抑制することが可能とされる。
【発明の効果】
【００１８】
本発明によれば、ラバーオンリータイプのガスケット本体と樹脂フィルムよりなるキャリアフィルムとを組み合わせるようにしたため、ラバーオンリータイプのガスケットの取扱い作業性を向上することができる。
【図面の簡単な説明】
【００１９】
【図１】本発明の実施例に係るガスケットを示す図で、（Ａ）はその平面図、（Ｂ）は（Ａ）におけるＣ−Ｃ線拡大断面図
【図２】（Ａ）乃至（Ｄ）共それぞれガスケット断面形状の他の例を示す断面図
【図３】（Ａ）乃至（Ｃ）共それぞれガスケット断面形状のさらに他の例を示す断面図
【図４】キャリアフィルム平面形状の他の例を示す平面図
【図５】本発明の実施例に係るガスケットの製造方法の工程説明図
【図６】本発明の実施例に係るガスケットの取り扱い方法の説明図
【図７】本発明の他の実施例に係るガスケットの製造方法の工程説明図
【図８】同製造方法によって製造されるガスケットの断面図
【図９】従来例に係るガスケットを示す図で、（Ａ）はその平面図、（Ｂ）は（Ａ）におけるＢ−Ｂ線拡大断面図
【図１０】比較例に係るガスケットの製造方法の工程説明図
【発明を実施するための形態】
【００２０】
本発明には、以下の実施形態が含まれる。
（１）本発明は、キャリアフィルム付きガスケットに係る。
（２）ラバーオンリーガスケット作製時にキャリア用のフィルムを同時成形したキャリアフィルム付きガスケット。尚、本ガスケットはスタッキング後にキャリアフィルムを取り外せる構成である。
（３）キャリアフィルムによりスタック組み付け性が向上する。ガスケット中央もしくは端部のキャリアフィルムをスタッキング組み付け時の自動搬送で使用する。キャリアフィルムによりガスケットが矯正されているため、捩れの問題がない。スタッキング後にキャリアフィルムを取り外せるため、車両重量の低減につながる。
（４）キャリアフィルムとしてエンジニアリングプラスチック（ポリアミド（ＰＡ）またはポリブチレンテレフタレート（ＰＢＴ）等）を使用する。
（５）型温、成形圧により金型形状に変形可能なキャリアフィルムを用いて、ゴム単体品（ラバーオンリーガスケット）を成形する。ゴム単体はシール性を有するリップ構造を有しており、フィルムの上面および、フィルムを介した下面の各々に形成され、矩形やＯリング断面よりも、より省スペースでのシールが可能なガスケットを提供する。この構成によれば、小断面での成形が可能なことから、矩形やＯリング断面よりも、より省スペース化が可能となる。成形後の製品（ラバーオンリーガスケット）は常にキャリアフィルム上にあることから、取り扱い性が大幅に向上する。ガスケット自体のキャリアフィルムからの脱落、剥離をコントロールすることでラインの自動化の検討等も容易になる。キャリアフィルムを型締めすることで、パーティングラインのバリを抑制することも可能となる。
（６）金型内に配置したフィルムにゴム材料を直接射出成形する本製造方法では、金型形状に沿った形でフィルムを自在に変形させることが可能であるため、製品形状を予め金型に対してアンダー形状となるように製品設計し、金型形状に関しても同形状とする。このように金型をアンダー構造とすることで、型開き時にガスケット本体が上型側に貼り付いた場合でも下型（フィルム面側）がアンダー形状となっていることで下型に付着し、よってガスケット本体がフィルムから剥離することがない。
【実施例】
【００２１】
つぎに本発明の実施例を図面にしたがって説明する。
【００２２】
図１に示すように当該実施例に係るガスケット１１は、ラバーオンリータイプのガスケット本体２１と、このガスケット本体２１を非接着状態で保持する樹脂フィルムよりなるキャリアフィルム３１との組み合わせにより構成されている。ガスケット本体２１は、燃料電池用ガスケットとして用いられる。キャリアフィルム３１は、キャリアシートまたはガスケット保持部材とも称する。
【００２３】
ガスケット本体２１は、所定のゴム状弾性体（例えばＶＭＱ、ＰＩＢ、ＥＰＤＭ、ＦＫＭなど）によって全体として平面状（平板状）に成形され、燃料電池の反応面の周りを全周に亙ってシールする外周シール部２２が平面長方形の枠状に設けられている。また、燃料電池の反応面と各マニホールド部を仕切るため、外周シール部２２の内側（四隅それぞれ）に内側シール部２３が一体成形されている。内側シール部２３はそれぞれ平面Ｌ字形とされ、よってこの内側シール部２３と平面長方形の外周シール部２２は平面Ｔ字形をなす交差部２９にて連結された形状とされている。ガスケット本体２１の断面形状は図１（Ｂ）に示すように、断面円形とされている。符号２４は、ガスケット本体２１をその厚み方向に貫通する貫通部（空間部）を示している。ガスケット本体２１は全体として平面長方形状に成形され、その平面的な大きさを外形略４００ｍｍ（縦）×略３００ｍｍ（横）とされ、その厚みすなわち線径を略１ｍｍとされている。
【００２４】
キャリアフィルム３１は、所定の樹脂フィルムによって平面状（平板状）に成形され、ガスケット本体２１よりも一回り大きな平面長方形状に成形されている。樹脂フィルムとしては例えば、厚さ０．２ｍｍのポリプロピレンフィルムを使用し、これを上記した大きさの平面形状に裁断して使用する。樹脂フィルムとしてはポリプロピレンの他に、ポリエチレン、ポリスチレンなど一般樹脂材が使用可能である。フィルムの厚さについては、ガスケット本体２１の線径や断面形状にもよるが、０．１ｍｍ〜０．３ｍｍ程度とするのが好ましい。
【００２５】
キャリアフィルム３１の平面上一部であってガスケット本体２１と平面上重なる部位に、ガスケット本体２１の外形形状（ガスケット本体２１の断面形状における外郭線）に沿って変形した形状の立体部（立体形状のガスケット保持部）３２が設けられ、この立体部３２にガスケット本体２１の一部が収められている。当該実施例では上記したようにガスケット本体２１の断面形状が断面円形とされているので、これに対応して立体部３２の断面形状は断面円弧形（半円形）とされ、このように断面円弧形の立体部３２を設けることによってその裏面側に設けられる溝状の空間部３３内に、ガスケット本体２１の厚み方向片方の、下半分の部位が収められている。
【００２６】
上記したようにガスケット本体２１は、燃料電池用ガスケットとして用いられものであって、平面長方形の枠状の外周シール部２２、平面Ｌ字形の内側シール部２３および平面Ｔ字形の交差部２９を一体に有している。したがってこのような形状のガスケット本体２１を保持するものとしてキャリアフィルム３１の立体部３２は、外周シール部２２を保持するための平面長方形の枠状を呈する外周シール保持部３２ａと、内側シール部２３を保持するための平面Ｌ字形を呈する内側シール保持部３２ｂと、交差部２９を保持するための平面Ｔ字形を呈する交差部保持部３２ｃとを平面上に連続して有している。
【００２７】
また、立体部３２はその厚み（フィルム厚み）が、キャリアフィルム３１における立体部３２以外の平板状部位の厚み（フィルム厚み）より小さく形成されても良い。このように立体部３２の厚みを小さくすると、立体部３２が変形しやすくなってフィルム厚み方向に反転しやすくなるために、ガスケット本体２１からキャリアフィルム３１を取り外す作業を容易化することができる。ここに立体部３２が反転するとは、フィルム厚み方向の一方に突出していた立体部３２がフィルム厚み方向の他方に突出するように変形することである。
【００２８】
ガスケット本体２１はキャリアフィルム３１に対し非接着とされるため、スタッキングに際しキャリアフィルム３１から取り外すことが可能とされている。但し、後記するようにガスケット本体２１を成形する金型４１（図４など）にキャリアフィルム３１をインサートした状態でガスケット本体２１を成形すると、成形したガスケット本体２１が粘着性を備えているため、この粘着性によってガスケット本体２１はキャリアフィルム３１に対し粘着された状態とされる。粘着は、チャッキング装置による取り外しができるほどに粘着力が小さいものである。したがってこの場合、ラバーオンリータイプのガスケット本体２１は、樹脂フィルムよりなるキャリアフィルム３１に対し非接着ではあるが、剥離可能に粘着していることになる。尚、この粘着状態を剥離しやすくするにはキャリアフィルム３１の材質として、ポリアミド（ＰＡ）またはポリブチレンテレフタレート（ＰＢＴ）等のエンジニアリングプラスチックよりなるフィルムを用いるのが好適である。
【００２９】
上記構成のガスケット１１においては、ラバーオンリータイプのガスケット本体２１が樹脂フィルムよりなるキャリアフィルム３１によって保持されるため、ガスケット１１の搬送に際してガスケット本体２１に捩れが生じにくく、搬送しやすい。また、ガスケット本体２１がキャリアフィルム３１に対し非接着とされるため、スタッキングに際してガスケット本体２１をキャリアフィルム３１から容易に取り外すことが可能とされる。したがってガスケット１１の取扱い作業性を向上することができる。
【００３０】
また、キャリアフィルム３１に立体部３２が設けられて、この立体部３２内にガスケット本体２１の一部が収められているため、ガスケット本体２１はキャリアフィルム３１に対し平面上位置決めされる。したがってガスケット１１の搬送に際してガスケット本体２１がキャリアフィルム３１に対しずれることがないため、ガスケット本体２１をキャリアフィルム３１によってしっかりと保持することができる。
【００３１】
また、上記したようにガスケット本体２１が燃料電池用ガスケットとして用いられものであって、平面長方形の枠状の外周シール部２２、平面Ｌ字形の内側シール部２３および平面Ｔ字形の交差部２９を一体に有しているのに対応して、キャリアフィルム３１の立体部３２が、外周シール部２２を保持するための平面長方形の枠状を呈する外周シール保持部３２ａと、内側シール部２３を保持するための平面Ｌ字形を呈する内側シール保持部３２ｂと、交差部２９を保持するための平面Ｔ字形を呈する交差部保持部３２ｃとを平面上に連続して有するものとされているために、このように立体部３２が平面長方形の縦横に配置された構造のキャリアフィルム３１は、平板のみよりなるキャリアフィルムと比較して、曲げ変形に対する強度が高い。特に平面Ｔ字形を呈する交差部保持部３２ｃは、外周シール保持部３２ａと内側シール保持部３２ｂが直角に交差するため、強度が高いものである。したがって薄板状のキャリアフィルム３１に曲げ変形に対する強度を持たせることができる。
【００３２】
ガスケット本体２１の断面形状やこれに対応する立体部３２の断面形状については、ガスケット本体２１の使用条件等に応じて様々なものが考えられ、例えば以下のようなものであっても良い。
【００３３】
図２（Ａ）の例では、断面長方形のガスケット本体２１の上面（全幅）に断面円弧形（半円形）のシールリップ２５が一体成形されている。この場合、ガスケット本体２１の厚み方向片方の下半分の部位は断面角形とされるので、立体部３２の断面形状も断面角形とされている。
【００３４】
図２（Ｂ）の例では、断面長方形のガスケット本体２１の上面（全幅）に断面円弧形（半円形）のシールリップ２５が一体成形されるとともにガスケット本体２１の下面（一部幅）に断面円弧形（半円形）のシールリップ２６が一体成形されている。この場合、ガスケット本体２１の厚み方向片方の下半分の部位は断面角形および円弧形（半円形）の組み合わせとされるので、立体部３２の断面形状も断面角形および円弧形（半円形）の組み合わせとされている。
【００３５】
図２（Ｃ）の例では、断面長方形のガスケット本体２１の上面（全幅）に断面円弧形（半円形）のシールリップ２５が一体成形されている。一方、キャリアフィルム３１に立体部３２は設けられておらず、キャリアフィルム３１は平面状（平板状）のままとされている。この場合でもガスケット本体２１はキャリアフィルム３１によって保持され、またガスケット本体２１がその材質上粘着性を備えていれば、ガスケット本体２１はその全幅に亙ってキャリアフィルム３１に粘着するので、シート平面方向にずれることなくキャリアフィルム３１によって保持される。
【００３６】
図２（Ｄ）の例では、断面長方形のガスケット本体２１の上面（全幅）に断面円弧形（半円形）のシールリップ２５が一体成形されるとともにガスケット本体２１の一方の側面に張り出し部２７が一体成形されている。この場合は、図示するように張り出し部２７に対しキャリアフィルム３１の立体部３２が重ねられることによりガスケット本体２１が全体としてキャリアフィルム３１によって保持される。立体部３２は断面段差状に成形されている。
【００３７】
また、図３（Ａ）の例では、断面長方形のガスケット本体２１の上面（一部幅）に断面円弧形（半円形）のシールリップ２５が一体成形されるとともにガスケット本体２１の下面（一部幅）に断面円弧形（半円形）のシールリップ２６が一体成形されている。この場合、ガスケット本体２１の厚み方向片方の下半分の部位は断面角形および円弧形（半円形）の組み合わせとされるので、立体部３２の断面形状も断面角形および円弧形（半円形）の組み合わせとされている。
【００３８】
図３（Ｂ）の例ではこれも、断面長方形のガスケット本体２１の上面（一部幅）に断面円弧形（半円形）のシールリップ２５が一体成形されるとともにガスケット本体２１の下面（一部幅）に断面円弧形（半円形）のシールリップ２６が一体成形されている。
【００３９】
図３（Ｃ）の例では、断面長方形のガスケット本体２１の上面（一部幅）に断面円弧形（半円形）のシールリップ２５が複数（図では２本）一体成形されるとともにガスケット本体２１の下面（一部幅）に断面円弧形（半円形）のシールリップ２６が複数（図では２本）一体成形されている。
【００４０】
キャリアフィルム３１については、図４に示すように、その平面中央に厚み方向に貫通する貫通部（空間部）３４を設けるようにしても良く、この場合、キャリアフィルム３１は枠状とされる。
【００４１】
つぎに、上記ガスケット１１の製造方法を説明する。製造には、ラバーオンリータイプのガスケット本体２１を射出成形する金型を用いる。
【００４２】
工程としては先ず、所定の大きさの平面形状に裁断した平面状のキャリアフィルム３１を用意し、図５（Ａ）に示すように、このキャリアフィルム３１を金型４１のパーティング部４４に挟み込んだ状態で金型４１を型締めする。金型４１は上型（一方の分割型）４２および下型（他方の分割型）４３の組み合わせを有し、両型４２，４３のパーティング部４４にそれぞれキャビティ部４５が半分ずつ対応して設けられている。キャリアフィルム３１は当初その全面が平面状であるため、キャビティ部４５内を横切る状態とされる。
【００４３】
次いで、図５（Ｂ）に示すように、キャビティ部４５へガスケット本体２１を成形するための成形材料を充填し、加熱する等して、ガスケット本体２１を成形する。キャビティ部４５へ成形材料を充填したとき、キャリアフィルム３１はその平面上一部が成形材料充填圧力によってキャビティ部４５の内面に押し付けられ、キャビティ部４５の内面に沿ったかたちに変形（塑性変形）し、これにより立体部３２が成形される。
【００４４】
次いで、図５（Ｃ）に示すように、ガスケット本体２１の成形後、型開きし、図５（Ｄ）に示すように、ガスケット本体２１およびキャリアフィルム３１を同時に金型４１から取り出す。取り出したガスケット本体２１およびキャリアフィルム３１は、ガスケット本体２１がキャリアフィルム３１によって保持された組み合わせ状態とされ、この組み合わせ状態で製品の搬送や保管などを行う。キャリアフィルム３１によって保持されたガスケット本体２１には捩れ等が生じにくく、よってガスケット本体２１を単品で取り扱う場合よりも取扱い作業性が向上する。
【００４５】
ガスケット本体２１を燃料電池スタックに組み付ける際には、図６（Ａ）に示すようにキャリアフィルム３１を真空引き装置（図示せず、真空引き方向を矢印Ｄにて示す）などでベース側へ吸着固定した状態で、ガスケット本体２１をチャッキング装置５１などで掴んで、図６（Ｂ）に示すように持ち上げ、所定の位置へ移動させる。捩れが生じていないガスケット本体２１はチャッキング装置５１などで掴みやすく、作業を円滑に進行させることができる。
【００４６】
また、比較例として図１０（Ａ）（Ｂ）（Ｃ）に示すように、金型４１によってガスケット本体２１を成形した後、型開きしたときにガスケット本体２１が上型（一方の分割型）４２に貼り付いて、下型（他方の分割型）４３に付着したキャリアフィルム３１から剥離するようなことがあると、ガスケット本体２１がキャリアフィルム３１に対し分離してしまうので、ガスケット本体２１をキャリアフィルム３１によって保持することができなくなる。
【００４７】
そこで、これに対策するには図７に示すように、金型４１のキャビティ部４５内面にアンダーカット形状（アンダーカット部）４６を設けることにより金型４１に対しガスケット本体２１を抜け止めするのが好適であり、これによれば、ガスケット本体２１がキャリアフィルム３１から剥離・分離するのを防止することができる。
【００４８】
金型４１の両分割型のうち、アンダーカット形状４６を設けるのは、キャリアフィルム３１に立体部３２を形成するほうの分割型（下型４３）であり、この分割型（下型４３）のキャビティ部４５内面にアンダーカット形状４６を設けると、これに沿って変形するキャリアフィルム３１の立体部３２にもアンダーカット形状（アンダーカット部）３５が形成され、この立体部３２に形成されるアンダーカット形状３５に対してガスケット本体２１が抜け方向に係合するため、ガスケット本体２１を分割型（下型４３）のほうに残留させることができる。キャリアフィルム３１およびガスケット本体２１を分割型（下型４３）から離型するときは、キャリアフィルム３１の立体部３２およびガスケット本体２１を弾性変形させながらキャビティ部４５から引き抜くようにしてこれを行い、よって図８に示すようにキャリアフィルム３１およびガスケット本体２１を一体ものとして分割型（下型４３）から取り出すことができる。
【００４９】
また、この図８に示すように、分割型（下型４３）から取り出したキャリアフィルム３１およびガスケット本体２１は、キャリアフィルム３１の立体部３２に形成されたアンダーカット形状３５に対してガスケット本体２１が抜け方向に係合するため、キャリアフィルム３１に対しガスケット本体２１が抜け止めされることになる。したがってキャリアフィルム３１に対しガスケット本体２１が容易に分離してしまうのを防止することができる。
【００５０】
図７および図８に図示したガスケット本体２１は、アンダーカット形状４６を備えるキャビティ部４５によって成形されるため、その側面にアンダーカットに伴う傾斜面部２８（図８）を備えている。したがってこのガスケット本体２１は断面台形を呈するガスケットとして成形され、その上下面にそれぞれ断面三角形のシールリップ２５，２６が一体成形された形状とされている。
【００５１】
アンダーカット形状３５，４６の傾斜角については、０．１〜１０度の範囲が好適であり、０．１〜３度の範囲が一層好適である。
【符号の説明】
【００５２】
１１  ガスケット
２１  ガスケット本体
２２  外周シール部
２３  内側シール部
２４，３４  貫通部
２５，２６  シールリップ
２７  張り出し部
２８  傾斜面部
２９  交差部
３１  キャリアフィルム
３２  立体部
３２ａ  外周シール保持部
３２ｂ  内側シール保持部
３２ｃ  交差部保持部
３３  空間部
３５，４６  アンダーカット形状
４１  金型
４２  上型
４３  下型
４４  パーティング部
４５  キャビティ部
５１  チャッキング装置
【図１】
0006629066.tif 000002
【図２】
0006629066.tif 000003
【図３】
0006629066.tif 000004
【図４】
0006629066.tif 000005
【図５】
0006629066.tif 000006
【図６】
0006629066.tif 000007
【図７】
0006629066.tif 000008
【図８】
0006629066.tif 000009
【図９】
0006629066.tif 000010
【図１０】
0006629066.tif 000011